(57)【要約】【課題】壁パネルを防水パンに対して正確に位置決めしなくても、ユニットルームの底部側隅部における止水処理が確実に行え、作業者の負担を軽減して、ユニットルームの施工性を向上させることを可能にする。【解決手段】互いに直交する一対の壁パネル２２ａ，２２ｂにより形成されるコーナ部に対向する位置に、同コーナ部の形状に対応するＬ字状のコーナピースセット３０を配置する。コーナピースセット３０は、下側コーナピース３１、上側コーナピース３２およびビス３３からなる。上側コーナピース３２は、その外側面に弾性部材３２ｅが設けられているとともに、下側コーナピース３１に対してコーナ部側に向かってスライドするように構成されている。作業者は、ビス３３を上側コーナピース３２を介して下側コーナピース３１に捩じ込むことにより、上側コーナピース３２をコーナ部に押し当てて固定する。【選択図】  図１
2006274739.tif 000002
【特許請求の範囲】
【請求項１】
一対の壁パネルを防水パンの端縁部分にそれぞれ立設させるとともに前記防水パンのコーナ部にて直交させてなる防水パンのコーナ部構造において、互いに直交する一対の辺を有するＬ字状に形成されたコーナピースと、前記コーナピースの一対の辺が前記一対の壁パネルと対向するように同コーナピースを前記防水パン上のコーナ部に支持する支持部とを備え、前記コーナピースを前記支持部に対して締結部材によって締結することにより前記コーナピースが前記一対の壁パネルに向かって移動するように構成したことを特徴とする防水パンのコーナ部構造。
【請求項２】
請求項１に記載の防水パンのコーナ部構造において、前記支持部を、互いに直交する一対の辺を有するＬ字状に形成するとともに、同直交部分の上面を内側から外側に向かうに従って低くなるように傾斜させて形成し、同一対の辺が前記一対の壁パネルとそれぞれ平行となるように前記防水パン上のコーナ部に配置し、前記コーナピースは、前記一対の辺の直交部分の下面に内側から外側に向かうに従って高くなる突起を有し、同一対の辺が前記支持部の一対の辺に対向するように同支持部上に載置され、前記コーナピースを前記支持部上に上方から締結部材により締結することにより前記コーナピースが前記支持部の上面を内側から外側に向かって移動するように構成した防水パンのコーナ部構造。
【請求項３】
請求項２に記載の防水パンのコーナ部構造において、前記防水パン上のコーナ部に、前記一対の壁パネルとそれぞれ平行をなす突出片を設け、前記支持部を前記防水パンと別体に構成し、前記支持部を、前記防水パン上にて前記突出片と前記一対の壁パネルとの間に組み込むようにした防水パンのコーナ部構造。
【請求項４】
請求項２または請求項３に記載の防水パンのコーナ部構造において、前記コーナピースにおける一対の辺の直交部分にて、上面から下面に貫通するとともに、同直交部分の内側から外側に向かう方向を長径方向とする長孔を設け、前記締結部材としてネジを用い、同ネジを前記長孔を貫通させて前記支持部に固着させた防水パンのコーナ部構造。
【請求項５】
請求項２ないし請求項４のうちのいずれか１つに記載の防水パンのコーナ部構造において、前記コーナピースに、その内側面から内側に突出させるとともに、下方に延設させたカバー部を一体的に形成した防水パンのコーナ部構造。
【請求項６】
請求項２ないし請求項５のうちのいずれか１つに記載した防水パンのコーナ部構造において、前記支持部の傾斜させた上面および前記コーナピースの傾斜させた下面のうちの一方に内側から外側に向かう方向に沿って案内溝を形成し、かつ他方に前記案内溝に沿ってスライド可能な凸部を形成した防水パンのコーナ部構造。
【発明の詳細な説明】
【技術分野】
【０００１】
本発明は、浴室ユニットなどのユニットルームに用いられる防水パンのコーナ部構造に関する。
【背景技術】
【０００２】
一般に、浴室ユニットなどのユニットルームは、四角形状に形成された防水パンの各辺上に壁パネルをそれぞれ載置し、各壁パネルを互いに連結して構成されている。例えば、下記特許文献１に記載の浴室ユニットにおいては、各壁パネルを防水パンに固定する接続ブロックを四角形状の防水パンの四隅にそれぞれ配設している。そして、防水パンの各辺上に壁パネルを接続ブロックを介して載置するとともに、互いに直交して配置される壁パネルを連結するコーナジョイントを用いて、各壁パネルの互いに隣り合う垂直方向の各辺を連結している。
【特許文献１】特開２００３−２７６３２号公報
【０００３】
この場合、隣り合う各壁パネル同士の継ぎ目部分および各壁パネルと防水パンとの継ぎ目部分からの漏水を防止するため、各継ぎ目部分には各種のコーキング処理が施される。例えば、図５に示す浴室ユニット１０では、壁パネル１１ａ，１１ｂの浴室側壁面下縁部と防水パン１２の周縁部に立ち上げられて形成された壁載置部１３の上面との継ぎ目部分に、シリコン材１４ａ，１４ｂを同継ぎ目部分に沿って塗布してコーキング処理が施される。また、壁パネル１１ａと壁パネル１１ｂとの継ぎ目部分であるコーナ部には、長尺状のコーナ目地１５を浴室側から嵌め込んでコーキング処理が施される。この場合、コーナ目地１５は、コーナ部の上端部からコーナ部の下部に設けられるフロアパッキン１７の上端部まで嵌め込まれる。そして、コーナ部の下端部における壁載置部１３との継ぎ目部分、すなわち２つの壁パネルが互いに直交した状態で立設される浴室ユニット１０における底部側隅部は水が溜まりやすいため、同コーナ部におけるコーナ目地１５の下方には特別な止水処理が施されている。
【０００４】
具体的には、壁載置部１３の各角部における上面内側には、壁パネル１１ａ，１１ｂの壁面にそれぞれ平行な略Ｌ字状の突出片１６が形成されている。この突出片１６と壁パネル１１ａ，１１ｂとの隙間には、略Ｌ字状のゴム材からなるフロアパッキン１７が介装されている。フロアパッキン１７は、図６に示すように、突出片１６と壁パネル１１ａ，１１ｂとをネジ１８ａ，１８ｂによって締め付けることにより、壁パネル１１ａ，１１ｂの各側壁およびコーナ目地１４の下方のコーナ部に押し付けられて密着している。図６は、このコーナ部構造を２本のネジ１８ａ，１８ｂを含む平面で切断して図５の６−６線に沿って下方を見た断面図である。そして、壁パネル１１ａ，１１ｂの浴室側壁面とフロアパッキン１７の上面周縁部との継ぎ目部分に、シリコン材１９を同継ぎ目部分に沿って塗布してコーキング処理が施される。これにより、前記浴室ユニット１０における底部側隅部への水の浸入が防止されている。
【０００５】
しかしながら、上記したような浴室ユニット１０における底部側隅部の止水処理の施工時においては、壁パネル１１ａ，１１ｂを防水パン１２に対して正確に位置決めする必要があるが、この壁パネル１１ａ，１１ｂの防水パン１２に対する位置決め作業は、煩雑な作業であるため作業者に対する負担が大きく、浴室ユニット１０の施工性が悪いという問題があった。
【発明の開示】
【０００６】
本発明は、上記問題に対処するためなされたもので、その目的は、壁パネルを防水パンに対して正確に位置決めしなくても、ユニットルームにおける各壁パネルが立設されるの底部側隅部における止水処理が確実に行え、作業者の負担を軽減して、ユニットルームの施工性を向上させることができる防水パンのコーナ部構造を提供することにある。
【０００７】
前記目的を達成するため、本発明の特徴は、一対の壁パネルを防水パンの端縁部分にそれぞれ立設させるとともに防水パンのコーナ部にて直交させてなる防水パンのコーナ部構造において、互いに直交する一対の辺を有するＬ字状に形成されたコーナピースと、コーナピースの一対の辺が一対の壁パネルと対向するように同コーナピースを防水パン上のコーナ部に支持する支持部とを備え、コーナピースを支持部に対して締結部材によって締結することにより、コーナピースが一対の壁パネルに向かって移動するように構成したことにある。この場合、前記防水パンは、例えば、浴室用防水パンである。
【０００８】
このように構成した本発明の特徴によれば、直交する一対の壁パネルにより形成されるコーナ部に対向する位置に、同コーナ部の形状に対応するＬ字状のコーナピースが支持部を介して配置される。そして、締結部材によりコーナピースを支持部に締結することにより、コーナピースは、一対の壁パネルに向かって移動するとともに、コーナピースの外側面が同一対の壁パネルによって形成されるコーナ部に密着する位置に押し当てられて位置決めされる。このため、防水パンに対して壁パネルの位置が多少ずれている場合であっても、コーナピースの外側面がコーナ部に密着する位置にコーナピースを位置決めすることができる。この結果、壁パネルを防水パンに対して正確に位置決めしなくても、ユニットルームの底部側隅部における止水処理が確実に行え、作業者の負担を軽減して、ユニットルームの施工性を向上させることができる。
【０００９】
また、本発明の他の特徴は、前記支持部を、例えば、互いに直交する一対の辺を有するＬ字状に形成するとともに、同直交部分の上面を内側から外側に向かうに従って低くなるように傾斜させて形成し、同一対の辺が一対の壁パネルとそれぞれ平行となるように防水パン上のコーナ部に配置し、前記コーナピースは、一対の辺の直交部分の下面に内側から外側に向かうに従って高くなる突起を有し、同一対の辺が支持部の一対の辺に対向するように同支持部上に載置され、コーナピースを支持部上に上方から締結部材により締結することによって、前記コーナピースが支持部の上面を内側から外側に向かって移動するように構成したことにある。
【００１０】
このように構成した本発明の他の特徴によれば、コーナピースは、同コーナピースの直交部分に形成された突起部分を介して、支持部の直交部分に形成される傾斜部分上に載置される。そして、締結部材によりコーナピースを上方から支持部に締結することによって、コーナピースは、支持部の傾斜部分をコーナ部側に向かってスライドするとともに、コーナピースの外側面がコーナ部に密着する位置に押し当てられて位置決めされる。したがって、上記と同様の効果を期待できる。
【００１１】
また、本発明の他の特徴は、防水パン上のコーナ部に、前記一対の壁パネルとそれぞれ平行をなす突出片を設け、支持部を防水パンと別体に構成し、支持部を、防水パン上にて突出片と前記一対の壁パネルとの間に組み込むようにしたことにある。これによれば、支持部を防水パンに一体的に成形することが困難な場合であっても、上記と同様の効果を期待できる。
【００１２】
また、本発明の他の特徴は、コーナピースにおける一対の辺の直交部分にて、上面から下面に貫通するとともに、同直交部分の内側から外側に向かう方向を長径方向とする長孔を設け、締結部材としてネジを用い、同ネジを長孔を貫通させて支持部に固着させたことにある。この場合、支持部の傾斜させた上面から下方に予めネジ穴を設けるようにしてもよい。これによれば、作業者が、ドライバなどの工具を用いてネジを回転させながら下方に押し込めば、コーナピースは、支持部上を外側に適宜スライドした状態で支持部上に固定される。したがって、コーナピースをコーナ部に対して適切な位置に簡単に固定することができ、より作業者の負担を軽減して、ユニットルームの施工性を向上させることができる。
【００１３】
また、本発明の他の特徴は、コーナピースに、その内側面から内側に突出させるとともに、下方に延設させたカバー部を一体的に形成したことにある。これによれば、コーナピースを支持部に載置して同コーナピースをコーナ部側にスライドさせた場合、コーナピースの下面と支持部の上面との接触面を同カバー部にて覆うことができる。これにより、上方から落ちてくる水によって同接触面に水が浸入することを防ぐことができるとともに、同接触面を伝ってコーナ部およびユニットルームにおける底部側隅部に水が浸入することを防ぐことができる。
【００１４】
また、本発明の他の特徴は、支持部の傾斜させた上面および前記コーナピースの傾斜させた下面のうちの一方に内側から外側に向かう方向に沿って案内溝を形成し、かつ他方に案内溝に沿ってスライド可能な凸部を形成したことにある。これによれば、コーナピースのスライド方向を規定して、コーナピースを正確にコーナ部に導くことができる。
【発明を実施するための最良の形態】
【００１５】
以下、本発明の一実施形態について図面を参照しながら説明する。図１（Ａ），（Ｂ）は、本発明に係る防水パンのコーナ部構造を備えた浴室ユニット２０の一部を示している。浴室ユニット２０は、洗い場用防水パンと浴槽用防水パンとを接続して構成される防水パン２１を備えている。図１(Ａ)，(Ｂ)は、防水パン２１における洗い場用防水パンの１つの角部を示している。この防水パン２１は、建物の躯体を構成する床面部（図示せず）に設置されている。
【００１６】
防水パン２１の周縁部には、防水パン２１の洗い場面より一段上方に立ち上がった壁載置部２１ａが形成されている。壁載置部２１ａには、複数（例えば７つ）の壁パネル２２ａ，２２ｂ（図では２つの壁パネルのみ示している）および１つのドアユニット（図示せず）が起立状態で設置され、防水パン２１を四方から囲んでいる。この場合、壁載置部２１ａの各辺上にて互いに隣り合う壁パネルおよび各辺が直交するコーナ部にて互いに隣り合う一対の壁パネル２２ａ，２２ｂは、連結部材（図示せず）によりそれぞれ連結されている。また、これらの互いに隣り合う各壁パネル同士の継ぎ目部分および各壁パネルと壁載置部２１ａとの継ぎ目部分には、同継ぎ目部分からの漏水を防止するため各種のコーキング処理が施されている。
【００１７】
具体的には、壁パネル２２ａ，２２ｂの浴室側壁面下縁部と壁載置部２１ａの上面との継ぎ目部分には、同継ぎ目部分上にシリコン材２３ａ，２３ｂが塗布されている。また、互いに直交する一対の壁パネル２２ａと壁パネル２２ｂとの継ぎ目部分であるコーナ部には、長尺状のコーナ目地２４が同コーナ部の上端部から下端部に渡って嵌め込まれている。そして、各壁パネル２２ａ，２２ｂおよびドアユニットの上端部には、天井パネル（図示せず）が掛け渡された状態で固定され、箱型の浴室ユニット２０を形成している。壁載置部２１ａの各角部における上面内側には、壁パネル２２ａ，２２ｂの各壁面にそれぞれ平行なＬ字状の突出片２５が設けられている。この突出片２５は、突出片２５の外側面、すなわち壁パネル２２ａ，２２ｂ側の側面と壁パネル２２ａ，２２ｂの壁面との間に所定の隙間を形成するように設けられる。
【００１８】
この突出片２５の外側面と壁パネル２２ａ，２２ｂの壁面との間の隙間および突出片２５の上面には、コーナピースセット３０が組み付けられている。コーナピースセット３０は、互いに直交する一対の壁パネル２２ａ，２２ｂにより形成されるコーナ部の下端部における壁載置部２１ａとの継ぎ目部分、すなわち２つの壁パネル２２ａ，２２ｂが互いに直交した状態で立設される浴室ユニット２０における底部側隅部への水の侵入を防ぐ。具体的には、図２の分解斜視図に示すように、下側コーナピース（本発明の支持部に対応）３１、上側コーナピース（本発明のコーナピースに対応）３２およびネジ３３から構成されている。なお、図２は、図１（Ａ），（Ｂ）に示す突出片２５を反対側から見た図である。
【００１９】
下側コーナピース３１は、硬質樹脂材により構成され、互いに直交する一対の辺を有するＬ字状に形成されている。下側コーナピース３１の幅は、前記突出片２５の外側面と壁パネル２２ａ，２２ｂの壁面との間の隙間に対応する幅に形成されており、下側コーナピース３１が同隙間に嵌まり込むようになっている。また、下側コーナピース３１の高さは、突出片２５の高さより少し低く形成されている。さらに、下側コーナピース３１における一対の辺の直交部分の上面には、Ｌ字状に形成された下側コーナピース３１の内側から外側に向かうに従って低くなるように傾斜する傾斜部３１ａが形成されている。傾斜部３１ａの中央部には、傾斜部３１ａの上面より一段低く形成されて、傾斜部３１ａの上面と平行な底面を有するとともに下側コーナピース３１の内側から外側に延設された案内溝３１ｂが設けられている。案内溝３１ｂの上面中央部には、ネジ３３の外径より小径の穴部３１ｃが垂直方向に設けられている。
【００２０】
上側コーナピース３２は、硬質樹脂材により構成され、互いに直交する一対の辺を有するＬ字状に形成されている。上側コーナピース３２における一対の辺の直交部分の下面には、図３に示すように、Ｌ字状に形成された上側コーナピース３１の内側から外側に向かうに従って高くなるように傾斜する突起部３２ａが形成されている。突起部３２ａの中央部には、突起部３２ａの下面より一段高く形成されて、突起部３２ａの上面と平行な上面を有するとともに上側コーナピース３２の内側から外側に延設された凸部３２ｂが設けられている。凸部３２ｂの幅および高さは、前記案内溝３１ｂの幅および深さにそれぞれ対応しており、凸部３２ｂが同案内溝３１ｂに嵌まり込むようになっている。すなわち、上側コーナピース３２は、案内溝３１ｂの溝方向に沿ってスライド可能な状態で下側コーナピース３１上に載置されている。
【００２１】
上側コーナピース３２における一対の辺の直交部分には、その上面から凸部３２ｂの下面に貫通するとともに、同直交部分の内側から外側に向かう方向を長径方向とする長孔３２ｃが設けられている。また、上側コーナピース３２には、その内側面から上側コーナピース３２の内側に突出させるとともに、下方に延設させたカバー部３２ｄが形成されている。カバー部３２ｄは、上側コーナピース３２が下側コーナピース３１上に取り付けられた際に、突出片２５、下側コーナピース３１の傾斜部３１ａおよび案内溝３１ｂを上方から覆う。さらに、上側コーナピース３２の外側面には、同外側面に沿って弾性部材３２ｅが固着されている。弾性部材３２ｅは、不浸透性の独立発泡性スポンジ材により構成されており、上側コーナピース３２の外側面に両面テープによって固着されている。この弾性部材３２ｅは、上側コーナピース３２が一対の壁パネル２２ａ，２２ｂにより形成されるコーナ部に押し付けられることにより弾性変形した状態で、壁パネル２２ａ，２２ｂおよび同コーナ部に密着する。
【００２２】
ネジ３３は、トラスタッピンにより構成されている。ネジ３３は、上側コーナピース３２に設けられた長孔３２ｃを介して下側コーナピース３１に設けられた穴部３１ｃに捩じ込まれて上側コーナピース３２を下側コーナピース３１に締結する。
【００２３】
このように構成されたコーナピースセット３０を浴室ユニット２０に取り付ける際の施行作業について説明する。作業者は、コーナピースセット３０を浴室ユニット２０に取り付ける作業の前作業として、洗い場用防水パンと浴槽用防止パンとを接続して防水パン２１を建物の床面部に設置するとともに、同防水パン２１の壁載置部２１ａに壁パネル２２ａ，２２ｂを互いに直交させた状態で立設する。この場合、同壁パネル２２ａ，２２ｂを図示しない連結部材により互いに連結するとともに、互いに直交する一対の壁パネル２２ａ，２２ｂにより形成されるコーナ部にコーナ目地２４を浴室側から嵌め込む。
【００２４】
次に、作業者は、図２に示すように、コーナピースセット３０、すなわち下側コーナピース３１、上側コーナピース３２およびネジ３３をそれぞれ用意する。まず、作業者は、壁載置部２１ａに設けられた突出片２５の外側面と壁パネル２２ａ，２２ｂの壁面との間に形成されるＬ字状の隙間に下側コーナピース３１を嵌め込む。次に、作業者は、下側コーナピース３１の上面に上側コーナピース３２を載置する。この場合、図４（Ａ）に示すように、上側コーナピース３２の下面に設けられた凸部３２ｂが、下側コーナピース３１の上面に設けられた案内溝３１ｂに嵌まり込むように上側コーナピース３２を下側コーナピース３１上に載置する。これにより、上側コーナピース３２が、下側コーナピース３１に対して案内溝３１ｂの溝方向に沿ってスライド可能な状態で載置される。また、この場合、上側コーナピース３２の長孔３２ｃの下方に下側コーナピース３１の穴部３１ｃが位置するとともに、上側コーナピース３２のカバー部３２ｄは、壁載置部２１ａの突出片２５および下側コーナピース３１の傾斜部３１ａを上方から覆う状態となる。
【００２５】
次に、作業者は、図示しないドライバなどの工具を用いてネジ３３を上側コーナピース３２の長孔３２ｃを介して下側コーナピース３１の穴部３１ｃに捩じ込む。この場合、上側コーナピース３２は、図４（Ｂ）に示すように、ネジ３３が捩じ込まれるに従ってネジ３３の頭部を介して下方に押される。このため、上側コーナピース３２は、下側コーナピース３１上を案内溝３１ｂに沿って斜め下方（図示左下方）にスライド、すなわち一対の壁パネル２２ａ，２２ｂにより形成されるコーナ部に向かってスライドする。これにより、上側コーナピース３２の弾性部材３２ｅが壁パネル２２ａ，２２ｂおよび同コーナ部に押し当てられる。この場合、弾性部材３２ｅは、壁パネル２２ａ，２２ｂおよび同コーナ部に押し当てられることにより弾性変形しながら壁パネル２２ａ，２２ｂおよび同コーナ部の側面に沿って密着する。
【００２６】
作業者は、弾性部材３２ｅが、壁パネル２２ａ，２２ｂおよび同コーナ部の側面に沿って密着していることを確認してネジ３３の捩じ込みを止める。この場合、コーナピースセット３０は、上側コーナピース３２が壁パネル２２ａ，２２ｂおよび同コーナ部に押し付ける力と、下側コーナピース３１が壁載置部２１ａの突出片２５を押し付ける力により、壁パネル２２ａ，２２ｂの下端コーナ部に固定される。これにより、１つのコーナピースセット３０の取り付け作業が終了する。そして、作業者は、このような、コーナピースセット３０の取り付け作業を各コーナごとに行いコーナピースセット３０の施行作業が終了する。なお、ドアユニットと壁パネルとが直交するコーナ部に対してはドアユニットが開閉により可動するためコーナピースセット３０の取り付けは行わない。
【００２７】
そして、作業者は、隣り合う各壁パネル同士の継ぎ目部分および各壁パネルと壁載置部２１ａとの継ぎ目部分にシリコン材２３ａ、２３ｂをそれぞれ塗布してコーキング処理を行うとともに、各壁パネルおよびドアユニットの上端部に、天井パネルを設置して浴室ユニット２０を組み付ける。この場合、壁パネル２２ａ，２２ｂおよび同コーナ部と弾性部材３２ｅとの継ぎ目部分にはコーキング処理を施す必要はない。
【００２８】
このように本実施形態に係る防水パンのコーナ部構造においては、互いに直交する一対の壁パネル２２ａ，２２ｂおよび同コーナ部に、Ｌ字状の上側コーナピース３２が弾性部材３２ｅを介して押し当てられる。この場合、弾性部材３２ｅは、弾性変形しながら壁パネル２２ａ，２２ｂおよび同コーナ部の側面に沿って密着する。このため、防水パン２１に対して壁パネルの位置が多少ずれている場合、または上側コーナピース３２の外側面および／または壁パネル２２ａ，２２ｂの壁面に凹凸がある場合であっても、弾性部材３２ｅが上側コーナピース３２の外側面、壁パネル２２ａ，２２ｂおよび同コーナ部の側面の形状に沿ってそれぞれ密着するためコーナ部への水の侵入を防ぐことができる。また、上側コーナピース３２のカバー部３２ｄによって、突出片２５および下側コーナピース３１の傾斜部３１ａを覆っている。このため、コーナピースセット３０の上方から落ちてくる水によって突出片２５および同傾斜部３１ａに水が浸入することを防ぐことができるとともに、同傾斜部３１ａを伝ってコーナ部に水が浸入することを防ぐことができる。これらにより、浴室ユニット２０の底部側隅部への水の浸入を防ぐことができる。
【００２９】
また、ネジ３３を下側コーナピース３１に捩じ込むだけで上側コーナピース３２をコーナ部側にスライドさせるとともに、弾性部材３２ｅを壁パネル２２ａ，２２ｂおよび同コーナ部に密着する位置に位置決めして固定することができる。これにより、作業者の負担を軽減して、浴室ユニット２０の施工性を向上させることができる。
【００３０】
さらに、本発明の実施にあたっては、上記実施形態に限定されるものではなく、本発明の目的を逸脱しない限りにおいて種々の変更が可能である。
【００３１】
上記実施形態においては、下側コーナピース３１の傾斜部３１ａに、同傾斜部３１ａより一段下がった案内溝３１ｂを設けるとともに、上側コーナピース３２の突起部３２ａに、同突起部３２ａより一段上がった凸部３２ｂを設けたが、上側コーナピース３２のスライド方向を規定できれば、これに限定されるものではない。例えば、下側コーナピース３１の傾斜部３１ａに、同傾斜部３１ａより一段上がった凸部を設けるとともに、上側コーナピース３２の突起部３２ａに、同突起部３２ａより一段下がった案内溝を設けるようにしてもよい。これによっても、同様の効果を期待できる。
【００３２】
また、上記実施形態においては、突出片２５を壁載置部２１ａ上に設けるように構成したが、壁パネル２２ａ，２２ｂによって形成されるコーナ部に対向する位置に設けるようにすれば、これに限定されるものではない。例えば、壁載置部２１ａがない防水パン２１の場合には、防水パン２１の上面における対応する位置に直接突出片２５を設けるようにしてもよい。また、突出片２５の形状もコーナピースセット３０を取り付けた際、下側コーナピース３１の位置を固定できる形状であれば、Ｌ字状に限定されるものではない。これによっても、上記と同様の効果を期待できる。
【００３３】
また、上記実施形態においては、壁載置部２１ａ上に突出片２５を設け、同突出片２５と壁パネル２２ａ，２２ｂとの間に形成される隙間に下側コーナピース３１を嵌め込んで構成したが、これに限定されるものではない。例えば、下側コーナピース３２を壁載置部２１ａと一体成形して構成してもよいし、壁載置部２１ａがない防水パン２１の場合には、防水パン２１の上面における対応する位置に直接下側コーナピース３１を設けるようにしてもよい。また、下側コーナピース３１の形状も上側コーナピース３２を支持して、上側コーナピース３２を壁パネル２２ａ，２２ｂに向かって移動させることができる形状であれば、Ｌ字状に限定されるものではない。これによっても、上記と同様の効果を期待できる。
【００３４】
また、上記実施形態においては、ネジ３３を用いて上側コーナピース３２を壁パネル２２ａ，２２ｂおよび同コーナ部に押し当てるように構成したが、これに限定されるものではない。例えば、ネジ３３に代えてピンを用いるようにしてもよいし、上側コーナピース３２を壁パネル２２ａ，２２ｂおよび同コーナ部に押し当てた状態で、長孔３２ｃおよび穴部３１ｃに接着剤などを流し込んで上側コーナピースを下側コーナピースに固定するようにしてもよい。これによっても、上記と同様の効果を期待できる。
【００３５】
また、上記実施形態においては、下側コーナピース３１に穴部３１ｃを設けたが、ネジ３３を下側コーナピース３２に捩じ込むことが可能であれば、これに限定されるものではない。例えば、ネジ３３の案内用として深さの浅い案内ポンチを打つようにしてもよいし、これらの穴部を一切設けないようにしてもよい。この場合、ネジ３３を下側コーナピース３１に捩じ込む際、多少回転トルクが必要となる。
【００３６】
また、上記実施形態においては、上側コーナピース３２の弾性部材３２ｅとして、独立発泡性スポンジを用いたが不浸透性であって弾性変形する材料であれば、これに限定されるものではない。例えば、軟質ゴムなどを用いてもよい。これによっても、上記と同様の効果を期待できる。
【００３７】
また、上記実施形態においては、下側コーナピース３１の上面に傾斜部３１ａを設けるとともに上側コーナピース３２の下面に突起部３２ａを設け、これらの傾斜面に沿って上側コーナピース３２を壁パネル２２ａ，２２ｂに移動させるように構成したが、これに限定されるものではない。例えば、下側コーナピース３１と上側コーナピース３２との互いの接触面を水平な平面とし、上側コーナピース３２を内側からネジなどを用いて壁パネル２２ａ，２２ｂに向かって移動させるようにしてもよい。これによっても、上記と同様の効果を期待できる。
【００３８】
また、上記実施形態においては、浴室用ユニット２０に本発明に係る防水パンのコーナ部構造を適用したが、ユニットルームにおけるコーナ部の止水処理が必要であれば、これに限定されるものではない。例えば、トイレユニットなどに本発明に係る防水パンのコーナ部構造を適用しても同様の効果を期待できる。
【図面の簡単な説明】
【００３９】
【図１】本発明の一実施形態に係る防水パンのコーナ部構造を備えた浴室ユニットのコーナ部を示し、（Ａ）はコーナピースセットが取り付けられていない状態を示す斜視図、（Ｂ）はコーナピースセットが取り付けられた状態を示す斜視図である。
【図２】図１（Ｂ）のコーナピースセットの組み付け過程を示す分解斜視図である。
【図３】図２の上側コーナピースの裏面を示す斜視図である。
【図４】（Ａ），（Ｂ）は図２の４−４線に沿って見たコーナピースの組み付け過程を示す断面図である。
【図５】従来例に係る浴室ユニットのコーナ部を示す斜視図である。
【図６】図５の６−６線に沿って見た浴室ユニットのコーナ部を示す断面図である。
【符号の説明】
【００４０】
２０…浴室ユニット、２１…防水パン、２２ａ，２２ｂ…壁パネル、２３ａ，２３ｂ…シリコン材、２４…コーナ目地、２５…突出片、３０…コーナピースセット、３１…下側コーナピース、３１ａ…傾斜部、３１ｂ…案内溝、３１ｃ…穴部、３２…上側コーナピース、３２ａ…突起部、３２ｂ…凸部、３２ｃ…長孔、３２ｄ…カバー部、３２ｅ…弾性部材、３３…ネジ。
【図１】
2006274739.tif 000003
【図２】
2006274739.tif 000004
【図３】
2006274739.tif 000005
【図４】
2006274739.tif 000006
【図５】
2006274739.tif 000007
【図６】
2006274739.tif 000008